(57)【特許請求の範囲】
【請求項１】
撮影光路用の開口部と二つのストッパとを有している地板と、前記地板に対して往復回転可能に取り付けられていてその取付部近傍に長孔を有していると共にその往復回転によって前記開口部に進退する１枚の羽根と、前記地板に対して往復回転可能に取り付けられていてその取付部近傍に長孔を有していると共にその往復回転によって前記開口部に進退することのない１枚のバランス板と、前記羽根の長孔と前記バランス板の長孔の両方に挿入された駆動ピンを有していて該駆動ピンを往復作動させることによって前記羽根と前記バランス板を相反する方向へ往復回転させ前記羽根だけを前記開口部に進退させる駆動手段と、を備えており、前記羽根と前記バランス板とは、慣性モーメントが略均等であって、前記羽根は、前記開口部に進入したときと前記開口部から退いたときとでは前記二つのストッパのうちの異なる方のストッパに当接して停止させられ、前記バランス板は、前記往復回転に際していかなるストッパにも当接しないようにしたことを特徴とするカメラ用羽根駆動装置。
【請求項２】
前記羽根は合成樹脂製であり、前記バランス板は金属製であることを特徴とする請求項１に記載のカメラ用羽駆動装置。
【請求項３】
前記駆動手段が、コイルを有する固定子と永久磁石を有する回転子とからなるモータであり、前記駆動ピンが、該回転子と一体に所定の角度範囲で往復回転する出力ピンであって、該コイルの無通電時においては、該回転子は、該永久磁石の磁力によって、前記羽根が接触している方の前記ストッパ方向へ回転力が付与されていることを特徴とする請求項１又は２に記載のカメラ用羽根駆動装置。
【発明の詳細な説明】
【技術分野】
【０００１】
本発明は、シャッタ羽根，絞り羽根，フィルタ羽根，バリア羽根などの、撮影光路用の開口部に進退させる１枚の羽根を備えたカメラ用羽根駆動装置に関する。
【背景技術】
【０００２】
シャッタ装置の中には、主に、デジタルスチルカメラや、携帯電話などの小型の情報端末装置用のカメラに組み込まれるものとして、１枚のシャッタ羽根を往復回転させて露光開口を開閉するものが知られている（特許文献１参照）。また、最近の絞り装置の中には、円形の小さい絞り開口部を有している１枚の絞り羽根を、露光開口に進入させることによって小口径による撮影を行い、退避状態にさせておくことによって大口径による撮影を行うようにしたものが知られている（特許文献１，２参照）が、このような絞り装置は、銀塩フィルムカメラにもデジタルカメラにも採用されている。
【０００３】
また、絞り装置と同様に撮影光量を減じるものとしてＮＤフィルタ装置があるが、最近のＮＤフィルタ装置としては、上記の絞り羽根のような円形の開口部（この場合の開口部は、露光開口と略同等の大きさにする場合がある）を形成した羽根部材に、その開口部を覆うようにしてＮＤフィルタ板を取り付けてフィルタ羽根とし、上記の絞り羽根と同様にして作動させるようにしたものが知られている（特許文献２参照）。そして、そのようなフィルタ装置は、銀塩フィルムカメラにもデジタルカメラにも採用されている。
【０００４】
更に、カメラの中には、携帯時などの不使用時において、撮影レンズが汚れたり傷付いたりしないようにするために、撮影レンズの前面を板部材で覆っておくようにしたレンズバリア装置を備えたものがあるが、そのレンズバリア装置の中には、その板部材をシャッタ羽根と同様にして作動させるものがある。そのため、そのようにして作動させられる板部材は、バリア板又はバリア羽根と言われているが、そのようなバリア羽根の場合も、１枚だけでよい場合がある。そして、そのようなレンズバリア装置は、銀塩フィルムカメラにもデジタルカメラにも採用することが可能である。
【０００５】
このような各種の装置においては、各々の羽根部材は、ばねによって駆動されるようにする場合もある。しかしながら、最近では、電磁アクチュエータによって駆動されるようにしたものが多くなっている。また、その電磁アクチュエータとしては、ステップモータや電磁プランジャを用いることもあるが、最近では、ムービングマグネット型モータなどと言われていて低コスト化，小型化に有利な電流制御式のアクチュエータが主流となっている。また、このアクチュエータの場合にも、種々の構成が知られているが、いずれの構成をしたものであっても、基本的には、径方向に２極又は４極に着磁された永久磁石製の回転子が、固定子コイルに対する通電方向に対応した方向へ回転力を付与されることによって、所定の回転角度範囲内でだけ、回転し得るようになっている。そして、その回転子の出力ピンを駆動ピンとして、直接、羽根部材の孔に嵌合させる場合と、回転子の出力ピンによって往復回転させられる駆動部材（開閉レバーなどともいう）を介在させ、その駆動部材に設けられた駆動ピンを、羽根部材の孔に嵌合させる場合とがある。
【０００６】
【特許文献１】特開２００３−６６５０６号公報
【特許文献２】特開２００１−１８８２７５号公報
【発明の開示】
【発明が解決しようとする課題】
【０００７】
上記のような各羽根駆動装置において、撮影用の開口部に進退する羽根部材を１枚とした理由は、コストの低減ということもあるが、それよりも、羽根部材を取り付けている地板の平面面積を小さくしたいからである。言い換えれば、撮影光路用の開口部を全開にしているとき、羽根部材の収容面積が小さくて済むようにし、装置全体を小型化したいためである。そして、そのようにして装置全体を小型化したいという要求は、羽根部材を１枚にした場合であっても、なお存在する。そのため、１枚の羽根部材を備えた羽根駆動装置において、撮影光路用の開口部の大きさを変えずに、羽根部材の収容面積を小さくするためには、羽根部材のうち、開口部に進退する部位の外形を可能な限り開口部の大きさに近づけるように小さくし、開口部を全開にした退避状態においては、開口部の縁に近接して停止しているようにすればよいことになる。
【０００８】
ところが、そのように構成することは簡単ではない。即ち、羽根部材は、開口部に進入したときと、開口部から退避したときには、それぞれストッパに当接して停止させられる。そのため、羽根部材を出来るだけ小さくし、退避状態において開口部に近接して配置することにより、地板の平面面積を小さくしようとすると、羽根部材は、開口部に進入したとき、ストッパに当接してバウンドし、一時的にではあるが、羽根部材の外周縁が開口部内に戻ってしまい、開口部の縁と羽根部材の外周縁との間に隙間を発生させ、且つ完全に停止するまでの時間を長くしてしまう。このような事態は、具体的に説明するまでもなく、シャッタ装置にとっては致命的である。また、絞り装置とフィルタ装置にとっては、その後に行われる実際の撮影時機を遅らせる要因になってしまう。更に、レンズバリア装置の場合には、見栄えを悪くし商品価値を下げる要因になる。
【０００９】
他方、羽根部材が、開口部への進入状態から退避状態に作動させられたときには、開口部を全開にした直後にストッパに当接してバウンドし、一時的に、羽根部材の外周部が開口部の一部を覆ってしまい、且つ完全に停止して安定した全開状態が得られるまでの時間を長くしてしまう。そして、そのような事態の発生は、シャッタ装置にとっては致命的である。また、絞り装置，フィルタ装置にとっては、次の撮影が行えるまでの時間を長くしてしまう要因になる。更に、レンズバリア装置にとっては、この場合にも、見栄えを悪くし商品価値を下げる要因になってしまう。
【００１０】
本発明は、このような問題点を解決するためになされたものであり、その目的とするところは、撮影用の開口部に進退する１枚の羽根を備えていて、該開口部を全開にした退避状態においては、該羽根の外周縁を該開口部の縁に近接して配置するように構成しても、作動終了時には、ストッパに当接して好適に停止し得るようにした小型化に最適なカメラ用羽根駆動装置を提供することである。また、羽根の駆動手段を、上記のムービングマグネット型モータとした場合には、羽根の停止状態が安定して得られるようにしたカメラ用羽根駆動装置を提供することである。
【課題を解決するための手段】
【００１１】
上記の目的を達成するために、本発明のカメラ用羽根駆動装置は、撮影光路用の開口部と二つのストッパとを有している地板と、前記地板に対して往復回転可能に取り付けられていてその取付部近傍に長孔を有していると共にその往復回転によって前記開口部に進退する１枚の羽根と、前記地板に対して往復回転可能に取り付けられていてその取付部近傍に長孔を有していると共にその往復回転によって前記開口部に進退することのない１枚のバランス板と、前記羽根の長孔と前記バランス板の長孔の両方に挿入された駆動ピンを有していて該駆動ピンを往復作動させることによって前記羽根と前記バランス板を相反する方向へ往復回転させ前記羽根だけを前記開口部に進退させる駆動手段と、を備えており、前記羽根と前記バランス板とは、慣性モーメントが略均等であって、前記羽根は、前記開口部に進入したときと前記開口部から退いたときとでは前記二つのストッパのうちの異なる方のストッパに当接して停止させられ、前記バランス板は、前記往復回転に際していかなるストッパにも当接しないようにする。
【００１２】
その場合、前記羽根は合成樹脂製であり、前記バランス板は金属製であるようにすると、製作上で好ましい。また、前記駆動手段が、コイルを有する固定子と永久磁石を有する回転子とからなるモータであり、前記駆動ピンが、該回転子と一体に所定の角度範囲で往復回転する出力ピンであって、該コイルの無通電時においては、該回転子は、該永久磁石の磁力によって、前記羽根が接触している方の前記ストッパ方向へ回転力が付与されているようにすると、特にデジタルカメラに用いて有効な小型の羽根駆動装置が得られる。
【発明の効果】
【００１３】
本発明のカメラ用羽根駆動装置は、地板に対して回転可能に取り付けられていて駆動ピンの往復作動によって撮影光路用の開口部に進退させられる１枚の羽根のほかに、地板に対して回転可能に取り付けられていて上記の駆動ピンの往復作動によって上記の羽根とは逆方向へ同時に回転させられるバランス板を設けたため、羽根が、開口部に進入してストッパに当接したときにも、また開口部から退避してストッパに当接したときにも、バウンドが抑制されて好適に停止する。そのため、開口部の全開状態において、羽根を開口部に近接して配置することが可能になり、地板の平面面積を小さくし、装置の小型化が可能になる。また、駆動手段をムービングマグネット型モータとした場合には、不使用時にカメラに大きな衝撃が加わっても、バランス板の存在によって、羽根の暴走を抑制することが可能になる。
【発明を実施するための最良の形態】
【００１４】
本発明の実施の形態を、図示した実施例によって説明する。尚、本発明は、上記のように、撮影用の開口部に進退する１枚の羽根を備えたシャッタ装置，絞り装置，フィルタ装置，レンズバリア装置のいずれにも適用することができるものであるが、実施例は、小型のデジタルスチルカメラ用のシャッタ装置に適用した場合の構成例である。そして、図１は、シャッタ羽根の全開状態を示した正面図であり、図２は、シャッタ羽根の閉鎖状態における要部断面図である。また、図３は、図１からフレキシブルプリント配線板を取り外した状態で示した正面図であり、図４は、図３の背面図である。更に、図５は、シャッタ羽根の閉鎖状態を図３と同様にして示した正面図であり、図６は、図５の背面図である。
【実施例】
【００１５】
先ず、本実施例の構成を、図１〜図４を用いて説明する。地板１は、合成樹脂製であって、円形をした撮影光路用の開口部１ａを有している。図４に明示されているカバー板２は、金属製であって、地板１の開口部１ａと対向する領域に円形をした撮影光路用の開口部２ａを有している。この開口部２ａは、地板１の開口部１ａより直径が大きいため、露光開口は開口部１ａによって規制される。そして、地板１とカバー板２とは、カバー板２を地板１に取り付けることによって、両者の間に羽根室を構成している。尚、本実施例においては、地板１の開口部１ａが露光開口を規制するようにしているが、開口部１ａと開口部２の大きさを逆にして、カバー板２の開口部２ａが露光開口を規制するようにしても構わない。
【００１６】
ここで、地板１に対するカバー板２の取り付け方を説明する。地板１には、図４に示されているように、カバー板２側に、軸１ｂ，１ｃ，１ｄ，１ｅ，１ｆが立設されている。それらのうち、軸１ｃ，１ｆは、地板１とカバー板２との位置決め用の軸であって、軸１ｃは、カバー板２に形成された小判型の孔に挿入され、軸１ｆは、カバー板２に形成された円形の孔に挿入されている。また、その軸１ｆは、カバー板２の孔に挿入されている軸１ｂ，１ｄ，１ｅと共に、地板１とカバー板２を相互に取り付ける役目もしている。即ち、それらの四つの軸１ｂ，１ｄ，１ｅ，１ｆは、カバー板２に形成された孔に挿入された後、それらの先端を熱溶解され、軸径よりも大きな略円形の鍔状に変形させられ、それらの軸１ｂ，１ｄ，１ｅ，１ｆからカバー板２が抜けないようにされている。（図２の軸１ｅ，１ｆの場合を参照）
【００１７】
次に、カメラ本体への地板１の取り付け構成を説明する。図１において、地板１の右方位置には、小判型の孔１ｇと円形の孔１ｈが形成されている。また、図４に示されているように、地板１のカバー板２側の面には、軸状の受け部１ｉ，１ｊ，１ｋが設けられており、そのうち、受け部１ｊは、カバー板２に形成された孔２ｂを貫通している。そこで、先ず、地板１側に配置されているカメラ本体に設けられた位置決め用の軸に、上記の小判型の孔１ｇを嵌合させる。そして、カメラ本体側に形成されているねじ孔に上記の円形の孔１ｈを重ねておいてから、それらの孔にカバー板２側からねじを挿入してねじ止めする。その後、カバー板２側から図示していない鏡胴等の第三の部材をカメラ本体に取り付けるが、そのとき、上記の受け部１ｉ，１ｊ，１ｋの先端が第三の部材に対する当たり面となってカバー板２が変形されないようにしている。
【００１８】
このようにしてカメラ本体に取り付けられる地板１には、図４に示されているように、そのカバー板２側の面に、二つの軸１ｍ，１ｎと、二つのストッパ１ｐ，１ｑが設けられており、そのうち、軸１ｍ，１ｎは、それらの先端をカバー板２に形成された孔２ｃ，２ｄに挿入している。そして、羽根室内において、軸１ｍには、長孔３ａを有する合成樹脂製のシャッタ羽根３が回転可能に取り付けられ、軸１ｎには、長孔４ａを有する金属製のバランス板４（図面を見やすくするために図３，図５では図示省略）が回転可能に取り付けられている。また、図４に示されているように、カバー板２には、円弧状の長孔２ｅが形成されているが、地板１にも、その長孔２ｅと重なるようにして、略同じ形状をした長孔１ｒが形成されている。
【００１９】
次に、地板１の羽根室外の面に取り付けられているアクチュエータのユニット構成を説明する。本実施例のアクチュエータは、上記した電流制御式のモータであるが、その具体的な構成は、基本的には、特開２０００−６００８８号公報などで知られてタイプのものである。そこで、先ず、固定子の構成を説明する。本実施例の固定子枠は、図２から分かるように、平板状をしている第１コイル枠５と、筒状部の上端に閉鎖壁を有していて全体としてカップ状をしている第２コイル枠６とからなっていて、それらによって構成された収容室には、後述する回転子が配置されている。尚、本実施例では、このように、固定子枠を二つの部材（第１固定子枠５と第２固定子枠６）で構成しているが、例えば、本実施例の第２固定子枠６を二つの部材に分割し、三つの部材で構成するようにしても構わない。
【００２０】
このような第１固定子枠５と第２固定子枠６の外側には、各々所定の幅で凹溝が形成されており、第１固定子枠５と第２固定子枠６とを合わせた状態のとき、それらの凹溝が、収容室を図２において上下方向に取り巻く一つの環状溝となり、そこにコイル７を巻回することによって、二つの固定子枠５，６が一体化されている。そして、第２固定子枠６の閉鎖壁には二つの端子ピン６ａと二つの位置決めピン６ｂが設けられており、上記のようにして二つの固定子枠５，６に巻回されたコイル７の両端が、その二つの端子ピン６ａに巻き付けられている。また、このようにして、二つの固定子枠５，６にコイル７を巻回した後、その外側には、円筒形をしたヨーク８が嵌合させられている。更に、第２固定子枠６には、周知の４本の磁性体棒９が埋設されている。尚、本実施例とは異なり、コイルを二つ巻回するようにした場合には、上記のような端子ピン６ａは、四つ必要になる。
【００２１】
また、図２から分かるように、第１固定子枠５には凹部が設けられていて、そこに、フォトセンサ１０が圧入されている。更に、図１に示されているようなフレキシブルプリント配線板１１が、そのフォトセンサ１０や上記のコイル７に電流を供給するために、第２固定子枠６の二つの位置決めピン６ｂに二つの孔を嵌合させ、フォトセンサ１０に設けられている金属製の４本（発光部用の２本と受光部用の２本）の端子ピン１０ａと、第２固定子枠６の二つの端子ピン６ａに巻き付けられたコイル７の両端とに、各々、半田で接合されている。
【００２２】
尚、本実施例の場合には、このフォトセンサ１０は、発光部と受光部が対向位置に配置されていて、発光部からの出射光が直接受光部に入射するようにした直射式のフォトセンサであるが、発光部からの出射光が所定の反射手段によって反射され、受光部に入射するようにした反射式のフォトセンサであっても構わない。そして、その場合には、発光部と受光部は隣接して配置されることになる。しかしながら、反射手段は、直射式のフォトセンサにおける受光部の位置に設ける場合と、後述する遮光壁１２ｄに設ける場合とがあり、そのいずれを採用するかによって検出信号（後述のＬレベルの信号とＨレベルの信号）は逆になる。
【００２３】
次に、上記の収容室内において軸受けされている回転子の構成を説明する。本実施例の回転子１２は、径方向に２極に着磁された永久磁石１２ａを有していて、合成樹脂製の回転軸を、第１固定子枠５と第２固定子枠６とで軸受けされている。また、永久磁石１２ａの周面より径方向に延伸した合成樹脂製の腕部１２ｂには、回転軸と平行であって相反する方向へ延伸した駆動ピン１２ｃと遮光壁１２ｄが設けられている。そして、駆動ピン１２ｃは、地板１に形成されている円弧状の長孔１ｒを貫通して、羽根室内でシャッタ羽根３の長孔３ａとバランス板４の長孔４ａに嵌合し、その先端をカバー板２の円弧状の長孔２ｅに挿入している。また、遮光壁１２ｄは、フォトセンサ１０の検出光路に進退可能となっている。尚、本実施例の回転子１２は、円筒形をした永久磁石１２ａに対し、それ以外の部位を、合成樹脂材料による所謂アウトサート加工によって一体成形しているが、本発明は、回転子全体を、磁性体の粒子を混入した合成樹脂材料（プラスチックマグネット材料）で成形するようにしても構わない。
【００２４】
次に、このようなユニット構成をしたアクチュエータの、地板１への取り付け構成を説明する。先ず、図２から分かるように、第１固定子枠５には、その下面に二つの位置決めピン５ａが設けられていて、地板１に設けられた夫々の孔に嵌合させている。また、図１及び図３から分かるように、地板１には、可撓性を有する三つのフック部１ｓが設けられており、図２に示すように、それらを第１固定子枠５に掛けることによって、第１固定子枠５ひいてはアクチュエータユニットが上方へ移動できないようにしている。そして、フレキシブルプリント配線板１１は、上記の各半田付け部に無理な力がかからないようにするために、図１に示すように、地板１に設けられている位置決めピン１ｔ，１ｕに、各々の孔１１ａ，１１ｂを嵌合させている。
【００２５】
次に、図３〜図６を用いて、本実施例の作動を説明する。上記したように、本実施例は、小型のデジタルスチルカメラ用のシャッタ装置として構成したものである。そして、図３及び図４は、シャッタ羽根３が開口部（露光開口）１ａを全開にした初期状態を示している。このとき、コイル７には電流が供給されていない。しかしながら、周知のように、回転子１２の永久磁石１２ａと磁性体棒９との間に作用している磁気的吸引力によって、回転子１２には、図３において反時計方向への回転力が付与されている。そのため、シャッタ羽根３は、図４に示されているように、ストッパ１ｐに押し付けられて、この停止状態を維持されている。
【００２６】
ところで、本実施例のシャッタ装置は、撮影時以外は、永久磁石１２ａと磁性体棒９との間に作用している磁気的吸引力によって、常にこの状態を維持するようにしているが、そのような吸引力は絶対的なものではなく、カメラに強い衝撃が加わったり、強い振動が加わったりしたときには、回転子１２が、上記の吸引力に抗して回転させられてしまうことがある。そして、その回転が僅かであるならば、上記の吸引力によって復帰するが、大きく回転させられたときには、磁性体棒９との間に作用する吸引力が、今度は、回転子１２を図５及び図６の状態にさせる方向へ働いてしまう（この種のアクチュエータの場合、このような回転力が作用してしまうことは周知）ことになる。そのため、そのような事態が生じた場合には、今度は、シャッタ羽根３に、図５及び図６の状態を維持させてしまうことになる。
【００２７】
ところが、本実施例の場合には、バランス板４を備えているため、シャッタ羽根３だけの場合とは異なり、その衝撃力は、シャッタ羽根３とバランス板４の両方を同時に同じ方向へ回転させるように作用してしまうことが殆どない。そのため、シャッタ羽根３に対し、異なる方向へ力が作用しているバランス板４と回転子１２を伴ってまでも作動させてしまうような余程大きな力が働かない限り、上記のような事態の発生は抑制されることになる。そして、そのような事態が発生しておらず、シャッタ羽根３が全開状態にあるときには、回転子１２の遮光壁１２ｄが、フォトセンサ１０の検出光路内（発光部と受光部の間）にあって、発光部からの出射光を遮断しているため、フォトセンサ１０からＬレベルの検出信号が発せられており、その検出信号によって、シャッタ羽根３が全開状態にあることを、制御回路上で確認できるようになっている。
【００２８】
しかしながら、カメラに与えられた衝撃等が余りにも大きくて、シャッタ羽根３がバランス板４と回転子１２とを伴って、図５及び図６の状態になってしまっていた場合には、フォトセンサ１０からＨレベルの信号が発せられるようになっているので、その場合には、その信号によって直ちにコイル７に電流を供給し、回転子１２を回転させてシャッタ羽根３を全開位置まで回転させ、図３及び図４に示された初期状態に復帰させるようになっている。従って、本実施例の場合には、必ず、この初期状態から撮影が開始される。
【００２９】
撮影に際してレリーズボタンが押されると、それまで固体撮像素子に蓄積されていた電荷が放出され、その直後から撮影のための電荷の蓄積が開始される。そして、所定の時間が経過すると、コイル７に対して正方向の通電が行われ、回転子１２は、図３において時計方向へ回転させられる。そのため、駆動ピン１２ｃによって、シャッタ羽根３は時計方向へ回転させられ、バランス板４は反時計方向（図４において時計方向）へ回転させられ、シャッタ羽根３によって開口部１ａを閉じていく。このとき、回転子１２の回転によって、遮光壁１２ｄが、フォトセンサ１０の検出光路から退いてゆくため、検出信号がＬレベルからＨレベルに変わるが、撮影中におけるフォトセンサ１０からの検出信号は、無視されるようになっているため、シャッタ羽根３の作動には全く影響を及ぼさない。
【００３０】
その後、シャッタ羽根３は、開口部１ａを完全に閉鎖すると、その直後に、ストッパ１ｑに当接する。そして、シャッタ羽根３には、その当接によってバウンドし、図６において時計方向へ反転しようとする力が作用する。しかも、その反転力は、瞬間的には、回転子１２の回転力に勝るため、通常の場合には、シャッタ羽根３は、その長孔３ａが回転子１２の駆動ピン１２ｃを押して回転し、一時的に開口部１ａの一部を開いてしまうことになる。ところが、本実施例の場合には、バランス板４が設けられており、シャッタ羽根３に反転力が作用したときには、バランス板４には時計方向へ回転する慣性が付与されているため、シャッタ羽根３は、回転子１２とバランス板４の両方を押し返して開口部１ａを開かせてしまうだけの力が無く、そのまま停止することになる。図５及び図６は、そのようにして、シャッタ羽根３のバウンドを抑制して停止した状態を示したものである。
【００３１】
このようにして、シャッタ羽根３の閉じ作動が終了すると、その直後に、固体撮像素子で光電変換された撮像情報が画像処理回路を介して記憶装置に転送される。そして、その転送が終了すると、コイル７に、先ほどとは逆方向の通電が行われる。そのため、回転子１２は、図５において反時計方向へ回転させられ、駆動ピン１２ｃによってシャッタ羽根３とバランス板４とを相反する方向へ回転させ、反時計方向へ回転させられたシャッタ羽根３によって開口部１ａを開かせていく。そして、開口部１ａを全開にした後、シャッタ羽根３は、ストッパ１ｐに当接して停止するが、このときにも、上記したようにしてシャッタ羽根３のバウンドが抑制され、開口部１ａの一部を一時的に覆うことなく停止する。その後、コイル７に対する通電が断たれると、図１の初期状態に復帰したことになる。
【００３２】
尚、上記の作動説明は、本実施例のシャッタ装置が、デジタルスチルカメラに採用された場合で説明したが、銀塩フィルムカメラに採用された場合には、図５及び図６に示された閉鎖状態が初期状態となり、撮影時においては、シャッタ羽根３は、図３及び図４に示された全開状態に作動してから初期状態に復帰することになる。
【００３３】
また、本実施例においては、シャッタ羽根３を合成樹脂製とし、バランス板４を金属製としているが、これは、両者の慣性モーメントのバランスをよくするためである。そのため、バランス板４は、薄くすればするほど、比重の大きな金属製とすることが好ましい。しかしながら、そのようなバランスを考える場合には、シャッタ羽根３との重量比較のほか、回転子１２の回転力など他の要因も関係してくるので、シャッタ羽根３とバランス板４との材質については、本実施例の場合に限定されない。また、本実施例においては、駆動手段として、ムービングマグネット型モータなどといわれている電流制御式のアクチュエータを用いていて、駆動ピンがその回転子と一体に構成されているが、本発明の駆動手段は、このような構成に限定されず、駆動源は、ステップモータなどの他の電磁アクチュエータであっても、ばねであっても差し支えなく、また、駆動ピンは、回転子とは一体でなく、駆動源によって往復作動させられる部材に設けられていても差し支えない。
【００３４】
更に、本実施例のシャッタ羽根３を、既に説明した絞り羽根，フィルタ羽根，バリア羽根に置き換えれば、それぞれ有効な絞り装置，フィルタ装置，レンズバリア装置が得られる。従って、本発明は、それらの羽根駆動装置にも適用できるものである。
【図面の簡単な説明】
【００３５】
【図１】シャッタ羽根の全開状態を示した実施例の正面図である。
【図２】図１の要部断面図であるが、シャッタ羽根は閉鎖状態で示してある。
【図３】図１からフレキシブルプリント配線板を取り外した状態で示した実施例の正面図である。
【図４】図３の背面図である。
【図５】シャッタ羽根の閉鎖状態を図３と同様にして示した正面図である。
【図６】図５の背面図である。
【符号の説明】
【００３６】
１                              地板
１ａ，２ａ                      開口部
１ｂ，１ｃ，１ｄ，１ｅ，１ｆ，１ｍ，１ｎ  軸
１ｇ，１ｈ，２ｂ，２ｃ，２ｄ，１１ａ，１１ｂ  孔
１ｉ，１ｊ，１ｋ                受け部
１ｐ，１ｑ                      ストッパ
１ｒ，２ｅ，３ａ，４ａ          長孔
１ｓ                            フック部
１ｔ，１ｕ，５ａ，６ｂ          位置決めピン
２                              カバー板
３                              シャッタ羽根
４                              バランス板
５                              第１固定子枠
６                              第２固定子枠
６ａ，１０ａ                    端子ピン
７                              コイル
８                              ヨーク
９                              磁性体棒
１０                            フォトセンサ
１１                            フレキシブルプリント配線板
１２                            回転子
１２ａ                          永久磁石
１２ｂ                          腕部
１２ｃ                          駆動ピン
１２ｄ                          遮光壁
【図１】
0004652166.tif 000002
【図２】
0004652166.tif 000003
【図３】
0004652166.tif 000004
【図４】
0004652166.tif 000005
【図５】
0004652166.tif 000006
【図６】
0004652166.tif 000007